(57)【要約】【課題】少ない力で楽に揉み動作ができるマッサージ具を提供する。【解決手段】屈曲可能な屈曲体２の下方に複数の各突起３を設け、屈曲体２の上方の左右両端に指をかけることが可能な指かけ部４をそれぞれ備えて構成する。【選択図】図１
2018187317.tif 000002
【特許請求の範囲】
【請求項１】
屈曲可能な屈曲体の下方に複数の突起を設け、前記屈曲体の上方の左右両端に指をかけることが可能な指かけ部をそれぞれ備えたことを特徴とするマッサージ具。
【請求項２】
前記屈曲体の中央において人体部位が入るための凹部を設けたことを特徴とする請求項１に記載のマッサージ具。
【請求項３】
前記各指かけ部を前記各突起よりも左右方向において外側に位置するようにしたことを特徴とする請求項１又は請求項２に記載のマッサージ具。
【発明の詳細な説明】
【技術分野】
【０００１】  本発明は、揉むことが可能なマッサージ具に関するものである。
【背景技術】
【０００２】  従来のマッサージ具には、弾性を有する基板の片側に、人体に刺激を与える複数の突起を備え、前記基板の中央付近に設けた開口部を中心に屈曲できるように構成することで、片手で揉み動作ができるようにしたものがある（例えば特許文献１参照）。
【先行技術文献】
【特許文献】
【０００３】
【特許文献１】特開２０１３−１１９０２７号公報
【発明の概要】
【発明が解決しようとする課題】
【０００４】  上記従来のマッサージ具は、揉み動作を行う際、揉む力は片手の握力によって異なってくるため、使用しているうちに握力が弱くなると、やがては所望する揉み感が得られなくなるし、握力による揉み動作は、使用者が疲弊しやすく継続使用することは難しいという問題があった。【０００５】  本発明は、このような従来の構成が有していた問題を解決しようとするものであり、少ない力で楽に揉み動作ができるマッサージ具を提供することを目的とするものである。
【課題を解決するための手段】
【０００６】  本発明のマッサージ具は、屈曲可能な屈曲体の下方に複数の突起を設け、前記屈曲体の上方の左右両端に指をかけることが可能な指かけ部をそれぞれ備えたことを最も主要な特徴とする。【０００７】  また、本発明のマッサージ具として、前記屈曲体の中央において人体部位が入るための凹部を設けてもよい。【０００８】  さらに、本発明のマッサージ具として、前記各指かけ部を前記各突起よりも左右方向において外側に位置するようにしてもよい。
【発明の効果】
【０００９】  本発明のマッサージ具は、前記屈曲体の下方に複数の前記突起を設け、前記屈曲体の上方の左右両端に前記指かけ部をそれぞれ備えているため、両手で指を前記各指かけ部にそれぞれかけて首や肩に前記各突起を当てると、手や腕の自重によって、前記各指かけ部に左右方向外側への力がそれぞれかかるようになり、前記屈曲体が屈曲して複数の前記各突起の各先端が前記屈曲体の中央に向かって移動するので、少ない力で揉み動作が可能になる。このように、本発明のマッサージ具は、揉む力が片手の握力に依存する従来のマッサージ具とは異なり、主に手や腕の自重によって揉み動作が可能となるため、使用者は体力を著しく消耗することなく、楽々継続的に使用することができ、揉み感は使用者の所望するレベルを保ち、効果的なマッサージができる。【００１０】  また、本発明のマッサージ具として、前記屈曲体の中央において、人体部位が入るための前記凹部を設けると、人体の首部が前記凹部に入って安定した状態で楽に揉み動作ができ、効果的なマッサージが可能となる。【００１１】  さらに、本発明のマッサージ具として、前記各指かけ部を前記各突起よりも左右方向において外側に位置するように構成すると、手や腕の少しの自重だけで揉み動作を行うことができ、快適にマッサージを継続できる。
【図面の簡単な説明】
【００１２】
【図１】本発明の一実施の形態におけるマッサージ具の正面図である。
【図２】本発明の一実施の形態におけるマッサージ具の底面図である。
【図３】本発明の一実施の形態におけるマッサージ具の側面図である。
【図４】本発明の一実施の形態におけるマッサージ具の斜視図である。
【図５】本発明の一実施の形態におけるマッサージ具の使用状態説明図である。
【図６】本発明の一実施の形態におけるマッサージ具の使用状態説明図である。
【図７】本発明の一実施の形態におけるマッサージ具の使用状態説明図である。
【図８】本発明の一実施の形態におけるマッサージ具の使用状態説明図である。
【発明を実施するための形態】
【００１３】  以下に、本発明のマッサージ具を、図面に基づき詳細に説明する。
【００１４】  本発明のマッサージ具１は、図１から図４の実施形態で示したように、屈曲可能な屈曲体２の下方に複数の突起３・３・３・３を設け、前記屈曲体２の上方の左右両端に指をかけることが可能な指かけ部４をそれぞれ備えている。
【００１５】    前記屈曲体２や前記各突起３、また前記各指かけ部４は、一体成形であってもよいし、またはそれぞれ個別に成形された部材から構成するものであってもよい。材質について、前記屈曲体２は繰り返しの屈曲に耐える弾性を有する樹脂や金属、木材などで成形することができ、前記各突起３、また前記各指かけ部４は、樹脂や金属、木材などで適宜成形できる。
【００１６】  前記屈曲体２は図１及び図２に示すように、左右方向に延びる板状に形成し、図５に示すような屈曲を可能としている。
【００１７】  前記各突起３は、図１から図３に示すように先端が球形状となるようにしている。また、前記各突起３は４つ設けられているため、左右方向に２列、また前後方向にも２列で、左右一対、また前後一対となるような配列をしているため、前と後ろを逆にしても同じように使用することができ、使いやすくなっている。尚、他の構成として図示しないが、前記各突起３について、左右方向に３列以上、また前後方向にも３列以上となるような配列でもよい。
【００１８】  前記各指かけ部４はそれぞれ、図１に示すように正面視において前記屈曲体２の上方へ突出した形状であり、図３に示すように側面視においては半円形状であるため、図５から図８に示すように使用者は指をかけやすく、且つしっかりと握り持つことも可能である。
【００１９】  図５及び図６に示すように、両手で指を前記各指かけ部４にそれぞれかけて首や肩に前記各突起３を当てると、手や腕の自重によって、前記各指かけ部４に左右方向外側への力がそれぞれかかるようになり、前記屈曲体２が屈曲して複数の前記各突起３の各先端が前記屈曲体２の中央に向かって移動するので、少ない力で揉み動作が可能になる。
【００２０】  また、本発明のマッサージ具１として、図１及び図２、図４に示すように、前記屈曲体２の中央において、人体部位が入るための凹部２１をそれぞれ設けてもよい。これにより、図７に示すように人体首部Ｎが前記凹部２１に入って安定した状態で楽に揉み動作ができ、効果的なマッサージが可能となる。
【００２１】  また、図８に示すように、平面視においても前記各凹部２１を前後それぞれ設けているので、どちらかの前記凹部２１に前記人体首部Ｎが入ると、図５に示すように前記各突起３は両肩に上から乗る態様になるため、手や腕の自重をかけやすくなり、前記各指かけ部４を持っているだけで、手や腕の自重により前記各指かけ部４に左右方向外側への力がそれぞれかかり、複数の前記各突起３の各先端が前記屈曲体２の中央に向かって移動し、肩を楽に揉むことができる。また、僧帽筋は首から肩へ広がっているが、前記各凹部２１のおかげで、図５に示すように人体の肩を揉んだり、図６に示すように人体の首を揉んだりすることを交互に入れ替えてスムーズに行うことができ、首から肩へ広がる部分の僧帽筋を満遍なくほぐすことができる。
【００２２】  さらに、本発明のマッサージ具１として図１から図３に示すように、前記各指かけ部４を前記各突起３よりも左右方向において外側に位置するようにしてもよい。すなわち、前記各突起３の下方最先端の頂点をそれぞれ突起頂点Ｐ１とし、また、前記各指かけ部４の上方最先端の頂点をそれぞれ指かけ部頂点Ｐ２としているが、左右方向における前記各突起頂点Ｐ１の離間距離である距離Ｄ１は、左右方向における前記各指かけ部頂点Ｐ２の離間距離である距離Ｄ３よりも小さくなるようにすることができる。これにより、前記屈曲体２の中央で屈曲する部分が支点となり、作用点となる前記各突起３よりも左右方向の外側に力点となる前記各指かけ部４が位置するので、てこの原理が成立する。よって、手や腕の少しの自重だけで揉み動作を行うことができ、快適にマッサージを継続できる。尚、前記距離Ｄ１と前記距離Ｄ３との比率について、前記距離Ｄ１を１とした場合、前記距離Ｄ３は１から２の範囲内になるよう設定するなら、最も快適に使用でき、効果的なマッサージを継続することができる。
【００２３】  また、図１、図５、図７に示すように、前記各指かけ部４の上面において、それぞれ傾斜面４１を有するようにしてもよい。これにより、使用者が手や指が前記各指かけ部４の上面において密着することができて手や腕の自重が伝わりやすくなり、より少ない力で楽に揉み動作ができる。
【００２４】  本発明のマッサージ具１として図２に示すように、左右方向における前記各突起頂点Ｐ１の離間距離である前記距離Ｄ１は、前後方向における前記各突起頂点Ｐ１の離間距離である距離Ｄ２よりも大きくなるようにすると、図５及び図６に示すように人体の肩や首を揉む際、揉む部位が異なっても常時前記各突起３のすべてが当接し易くなり、効果的なマッサージが可能となる。
【符号の説明】
【００２５】  １  マッサージ具
２  屈曲体
２１  凹部
３  突起
４  指かけ部
４１  傾斜面
Ｎ  人体首部
Ｐ１  突起頂点
Ｐ２  指かけ部頂点
Ｄ１  距離
Ｄ２  距離
Ｄ３  距離
【図１】
2018187317.tif 000003
【図２】
2018187317.tif 000004
【図３】
2018187317.tif 000005
【図４】
2018187317.tif 000006
【図５】
2018187317.tif 000007
【図６】
2018187317.tif 000008
【図７】
2018187317.tif 000009
【図８】
2018187317.tif 000010